(57)【要約】【課題】グランド部材の脚部の強度を向上させたケーブル用コネクタを提供する。【解決手段】本発明では、コンタクトとシェル部材とを電気的に接続させる金属製のグランド部材５０が、板状に形成されたグランド基部５１と、グランド基部５１からそれぞれ互いに平行に延びる棒状に形成された複数のグランド脚部５４と、複数のグランド脚部５４の先端側とそれぞれ繋がる板状のグランド先端部５９とを有し、グランド脚部５４がそれぞれ両端近傍で階段状に折り曲げられる。そして、グランド脚部５４の中央部近傍がコンタクトの基端側が露出する溝部に受容されてコンタクトと電気的に接続されるとともに、グランド基部５１がシェル部材とケーブルとの間に位置してシェル部材と電気的に接続される。【選択図】図１２
2008146953.tif 000002
【特許請求の範囲】
【請求項１】
絶縁材料製の保持部材と、前記保持部材に保持された複数のコンタクトと、前記保持部材の底部を覆うように設けられた金属製のシェル部材とを備え、前記複数のコンタクトにおける複数の一部が前記シェル部材と電気的に接続されるように構成されたケーブル用コネクタにおいて、
前記一部のコンタクトと前記シェル部材とを電気的に接続させる金属製のグランド部材を備え、
前記保持部材は、前記複数のコンタクトの基端側をそれぞれ露出させるように形成された複数の溝部を有し、前記複数のコンタクトのうち前記一部のコンタクトを除いた残りのコンタクトの基端側が露出する前記溝部に、ケーブルの芯線がそれぞれ受容されて前記残りのコンタクトと電気的に接続されるように構成されており、
前記グランド部材は、板状に形成されたグランド基部と、前記グランド基部からそれぞれ互いに平行に延びる棒状に形成された複数のグランド脚部と、前記複数のグランド脚部の先端側とそれぞれ繋がる板状のグランド先端部とを有し、
前記複数のグランド脚部がそれぞれ前記グランド脚部の両端近傍で階段状に折り曲げられ、前記複数のグランド脚部の中央部近傍が前記一部のコンタクトの基端側が露出する前記溝部に受容されて前記一部のコンタクトと電気的に接続されるとともに、前記グランド基部が前記シェル部材と前記ケーブルとの間に位置して前記シェル部材と電気的に接続されるように構成されることを特徴とするケーブル用コネクタ。
【請求項２】
前記複数のグランド脚部の中央部近傍にそれぞれ切り欠き部が形成されていることを特徴とする請求項１に記載のケーブル用コネクタ。
【発明の詳細な説明】
【技術分野】
【０００１】
本発明は、同軸ケーブル等のケーブルの端部に繋がれるコネクタに関する。
【背景技術】
【０００２】
同軸ケーブルは、一般的に、一本の電線中に２つの導電路たる芯線とシールド線（シールド層とも称する）とを配列させて構成される。具体的には、中心軸線上に芯線を配列し、軸線から半径方向順番に芯線と同心円上の絶縁体、網状のシールド線、被覆絶縁体を配列して形成されている。このような同軸ケーブルを電子機器と接続するために使用されるコネクタにおいては、芯線はコンタクトに接続され（例えば、特許文献１を参照）、シールド線はグランド部材に接続される。
【０００３】
例えば図２４に示すように、グランド部材２０１は、同一平面上に並べられた同軸ケーブル２０５のシールド線２０６とそれぞれ接続された金属製の板状に形成される。また、グランド部材２０１の側部に半田付け用の脚部２０２が形成され、コンタクトの一部に接続される。なお、グランド部材２０１は、コンタクトを保持する絶縁材料製の保持部材を覆うように取り付けられた金属製のシェル部材と接続されるようになっている。また、図２４においては、同軸ケーブル２０５と平行に並んでディスクリート用のケーブル２１０が設けられている。
【特許文献１】特開２００５−５１０２号公報
【発明の開示】
【発明が解決しようとする課題】
【０００４】
しかしながら、従来においては、グランド部材２０１から細い半田付け用の脚部２０２がケーブル２０５と平行に並んで延びていたため、その取り扱いが難しく、コネクタへのセット時に変形してしまうおそれがあった。また、脚部２０２の高さがケーブル２０５の芯線２０７の高さと合っていないため、脚部２０２をコンタクトへ半田付けする際、脚部２０２が押し曲げられることで脚部２０２の基端部近傍への負荷が大きくなり、その結果、脚部２０２が応力集中により破損してしまうおそれがあった。
【０００５】
本発明は、このような問題に鑑みてなされたものであり、グランド部材の脚部の強度を向上させたケーブル用コネクタを提供することを目的とする。
【課題を解決するための手段】
【０００６】
このような目的達成のため、本発明では、絶縁材料製の保持部材と、保持部材に保持された複数のコンタクトと、保持部材の底部を覆うように設けられた金属製のシェル部材とを備え、複数のコンタクトにおける複数の一部がシェル部材と電気的に接続されるように構成されたケーブル用コネクタ（例えば、実施形態における同軸ケーブル用コネクタ２０）において、前記一部のコンタクトとシェル部材（例えば、実施形態における第１シェル部材４０）とを電気的に接続させる金属製のグランド部材を備えて構成される。また、保持部材は、複数のコンタクトの基端側をそれぞれ露出させるように形成された複数の溝部（例えば、実施形態における第１および第２ガイド溝３２ａ，３２ｂ）を有し、複数のコンタクトのうち前記一部のコンタクトを除いた残りのコンタクトの基端側が露出する溝部に、ケーブルの芯線がそれぞれ受容されて残りのコンタクトと電気的に接続されるように構成される。そして、グランド部材は、板状に形成されたグランド基部と、グランド基部からそれぞれ互いに平行に延びる棒状に形成された複数のグランド脚部と、複数のグランド脚部の先端側とそれぞれ繋がる板状のグランド先端部とを有し、複数のグランド脚部がそれぞれグランド脚部の両端近傍で階段状に折り曲げられ、複数のグランド脚部の中央部近傍が前記一部のコンタクトの基端側が露出する溝部に受容されて前記一部のコンタクトと電気的に接続されるとともに、グランド基部がシェル部材とケーブルとの間に位置してシェル部材と電気的に接続されるように構成される。
【０００７】
なお、上述の発明において、複数のグランド脚部の中央部近傍にそれぞれ切り欠き部が形成されていることが好ましい。
【発明の効果】
【０００８】
本発明によれば、グランド部材が、グランド基部と、グランド基部からそれぞれ互いに平行に延びる棒状に形成された複数のグランド脚部と、グランド脚部の先端側とそれぞれ繋がるグランド先端部とを有して構成され、さらには、グランド脚部がそれぞれ両端近傍で階段状に折り曲げられるため、グランド脚部の先端側に繋がるグランド先端部によりグランド脚部が変形し難くなるのに加え、グランド脚部の曲げ効果により、グランド部材の脚部（グランド脚部）の強度を向上させることが可能になる。また、グランド部材が、グランド基部、グランド脚部、およびグランド先端部を有して構成されるため、グランド部材の取り扱いが容易となることから、コネクタへのセット時にグランド部材の脚部（グランド脚部）が変形してしまうのを防止することが可能になる。
【０００９】
また、グランド脚部の中央部近傍に切り欠き部を形成することで、半田のフィレット量（半田の流れ込む量）を増やすことができることから、半田付け性を向上させることが可能になる。
【発明を実施するための最良の形態】
【００１０】
以下、本発明の好ましい実施形態について図面を参照しながら説明する。本実施形態に係る同軸ケーブル用コネクタ２０を図１に示している。この同軸ケーブル用コネクタ２０は、ケーブルアッセンブリ１の端部に取り付けられており、基板等に設けられた相手側コネクタ９０（図１７〜図１９を参照）と嵌合接続されるようになっている。ケーブルアッセンブリ１は、図１０に示すように、８本（複数本）の同軸ケーブル２と、８本のディスクリート用ケーブル７と、同軸ケーブル２およびディスクリート用ケーブル７を挟んでそれぞれ設けられた第１および第２グランドバー１０，１１とを有して構成される。
【００１１】
各同軸ケーブル２の構造を図１１に示しており、複数本（ここでは７本）の極細電線を寄り合わせて作られた芯線３の周囲に絶縁材料からなる内周側絶縁被覆４（第１絶縁被覆）を設け、この内周側絶縁被覆４の外周に複数の極細電線を横巻きに円筒状に設けてなるシールド線５を設け、このシールド線５の外周に絶縁材料からなる外周側絶縁被覆６（第２絶縁被覆）を設けて同軸ケーブル２が構成されている。また、同軸ケーブル２の端部においては、端部側から順に、芯線３、内周側絶縁被覆４、およびシールド線５がそれぞれ露出するようになっている。
【００１２】
ディスクリート用ケーブル７は、図１０に示すように、複数本の極細電線を寄り合わせて作られた芯線８の周囲に、絶縁材料からなる絶縁被覆９を設けて構成されている。また、ディスクリート用ケーブル７の端部においては、芯線８が露出するようになっている。
【００１３】
第１グランドバー１０は、金属材料を用いて板状に形成され、半田付け等により同軸ケーブル２およびディスクリート用ケーブル７とそれぞれ接合されるようになっている。これにより、複数の同軸ケーブル２およびディスクリート用ケーブル７が第１グランドバー１０に沿って同一平面上に並べられる。なお、本実施形態においては、中央側に同軸ケーブル２が８本、同軸ケーブル２の両脇にディスクリート用ケーブル７が４本ずつ並ぶことになる。またこのとき、同軸ケーブル２では、露出状態にあるシールド線５が第１グランドバー１０に（半田付けにより）接合され、シールド線５が第１グランドバー１０と電気的に接続されるようになっている。
【００１４】
第２グランドバー１１は、金属材料を用いて第１グランドバー１０と同様の板状に形成され、第１グランドバー１０とともに各ケーブルを挟むようにして（第１グランドバー１０と略平行な向きで）、半田付け等により同軸ケーブル２およびディスクリート用ケーブル７とそれぞれ接合されるようになっている。また、第１グランドバー１０と同様に、露出状態にある同軸ケーブル２のシールド線５が第２グランドバー１１に（半田付けにより）接合され、第２グランドバー１１がシールド線５を介して第１グランドバー１０と電気的に接続されるようになっている。
【００１５】
このようなケーブルアッセンブリ１の端部に取り付けられる同軸ケーブル用コネクタ２０は、図１から図５に示すように、金属製の複数の（２１本の）コンタクト２１と、コンタクト２１を保持する絶縁材料製の保持部材３０と、保持部材３０の上下の底面を覆うように設けられた第１および第２シェル部材４０，６０と、コンタクト２の一部と第１シェル部材４０とを電気的に接続させるグランド部材５０と、相手側コネクタ９０との嵌合をロック保持するロック部６５と、ロック部６５によるロック保持を解除するための操作が行われる操作部６７とを主体に構成される。
【００１６】
コンタクト２１は、保持部材３０と一体にインサートモールドされ、図６に示すように、保持部材３０の先端側において、ケーブルアッセンブリ１における各ケーブル２，７の配列ピッチと同一のピッチで左右方向に並んで配設される。コンタクト２１の基端側は、保持部材３０の中央部近傍に形成された露出部３１で露出しており、各ケーブル２，７の芯線３，８もしくはグランド部材５０のグランド脚部５４と半田付けにより接合される半田接合部２２が形成されている。
【００１７】
露出部３１の基端部では、コンタクト２１の半田接合部２２の間に複数のリブが立設され、このリブの間に、各ケーブル２，７の芯線３，８もしくはグランド部材５０のグランド脚部５４がそれぞれ受容される第１ガイド溝３２ａが形成される。露出部３１の先端部でも同様に、コンタクト２１の半田接合部２２の間に複数のリブが立設され、このリブの間に、各ケーブル２，７の芯線３，８もしくはグランド部材５０のグランド脚部５４がそれぞれ受容される第２ガイド溝３２ｂが形成される。
【００１８】
保持部材３０は、図６に示すように絶縁材料を用いて一体成形され、相手側コネクタ９０（図１７〜図１９を参照）と嵌合可能に構成される。保持部材３０の中央部近傍には、前述の露出部３１が形成され、さらに露出部３１の基端側に繋がってケーブル収容部３３が形成される。ケーブル収容部３３は、ケーブルアッセンブリ１の第１および第２グランドバー１０，１１の形状に合わせて形成されたグランドバー収容部３４を有して構成され、このグランドバー収容部３４に第１および第２グランドバー１０，１１を収容させることにより、図８に示すように、ケーブルアッセンブリ１が位置決めされた状態でケーブル収容部３３に収容されるようになっている。
【００１９】
また、露出部３１の先端側に繋がって段差が形成されており、その段差部分には、グランド部材５０のグランド先端部５９が干渉するのを防止する凹部３５が形成されている。露出部３１の上方には、保持部材３０の内側に向けて左右に第２シェル部材収容溝３６が形成され、この第２シェル部材収容溝３６にそれぞれ第２シェル部材６０の左右の先端側縁部が収容されるようになっている。保持部材３０の左右側部には、第２シェル部材６０に繋がって形成されるロック部６５および操作部６７を受容するロック受容部３７が形成され、ロック受容部３７の先端側に位置する開口部３８からロック部６５の先端側がそれぞれ左右へ突出するようになっている。
【００２０】
第１シェル部材４０は、図２に示すように、金属材料を用いて板状に形成され、保持部材３０と一体にインサートモールドされて保持部材３０の下側底面を覆うように取り付けられる。第１シェル部材４０の中央部には、図９に示すように、３つの接続片４１が形成されており、この接続片４１に対しグランド部材５０のグランド基部５１およびケーブルアッセンブリ１の第１グランドバー１０がそれぞれ半田付けにより接合され、第１シェル部材４０がグランド部材５０および第１グランドバー１０と電気的に接続されるようになっている。なお、第１シェル部材４０は、同軸ケーブル用コネクタ２０が相手側コネクタ９０と嵌合接続された状態で、相手側コネクタ９０のシールド部材９３と接触し接地されるようになっている。
【００２１】
グランド部材５０は、図１２に示すように、金属材料を用いてはしご状に形成され、グランド基部５１と、５つのグランド脚部５４と、グランド先端部５９とを有して構成される。グランド基部５１は板状に形成され、前述のように、第１シェル部材４０の接続片４１と半田付けにより接合されるようになっている。グランド基部５１には、長手方向に沿って４つの穴部５２が形成されており、半田のフィレット量（半田の流れ込む量）を増やして、半田付け性を向上させている。
【００２２】
５つのグランド脚部５４は、グランド基部５１の先端からそれぞれ互いに平行に延びる棒状に形成され、図７および図８に示すように、中央部近傍が保持部材３０の第１および第２ガイド溝３２ａ，３２ｂに受容されて、半田付けにより、２１本のうち５本のコンタクト２１（半田接合部２２）とそれぞれ電気的に接続されるようになっている。また、図１２に示すように、グランド脚部５４の中央部近傍には、それぞれ２箇所に切り欠き部が形成されており、半田のフィレット量（半田の流れ込む量）を増やして、半田付け性を向上させている。
【００２３】
また、グランド脚部５４は、それぞれグランド脚部５４の両端近傍で階段状に折り曲げられ、グランド脚部５４の基端側に第１の折り曲げ部５５が形成されるとともに、先端側に第２の折り曲げ部５６が形成される。第１の折り曲げ部５５はグランド基部５１に繋がっており、第１の折り曲げ部５５における段差、すなわち、グランド脚部５４とグランド基部５１との間の段差は、同軸ケーブル２の半径とほぼ同じになっている。これにより、コネクタ２０が組み立てられた状態では、図５に示すように、グランド基部５１がケーブルアッセンブリ１の第１グランドバー１０と第１シェル部材４０の接続片４１との間に位置して、第１グランドバー１０および接続片４１とそれぞれ接合されるようになっている。
【００２４】
一方、第２の折り曲げ部５６は、露出部３１の先端側に繋がる段差部分の高さに合わせて折り曲げ形成され、グランド先端部５９にそれぞれ繋がるようになっている。グランド先端部５９は、グランド基部５１と平行に延びる板状に形成され、５つあるグランド脚部５４の先端側とそれぞれ繋がるようになっている。また、グランド先端部５９は、保持部材３０における凹部３５の上方に位置しており、グランド部材５０の取り付け具合に応じてグランド先端部５９が自由に上下移動できるようになっている。
【００２５】
このように、グランド部材５０が、グランド基部５１と、グランド基部５１からそれぞれ互いに平行に延びる棒状に形成された複数のグランド脚部５４と、グランド脚部５４の先端側とそれぞれ繋がるグランド先端部５９とを有して構成され、さらには、グランド脚部５４がそれぞれ両端近傍で階段状に折り曲げられることで、グランド脚部５４の先端側に繋がるグランド先端部５９によりグランド脚部５４が変形し難くなるのに加え、グランド脚部５４の曲げ効果により、グランド部材５０の脚部（グランド脚部５４）の強度を向上させることが可能になる。また、グランド部材５０が、グランド基部５１、グランド脚部５４、およびグランド先端部５９を有して構成されるため、グランド部材５０の取り扱いが容易となることから、コネクタ２０へのセット時にグランド脚部５４が変形してしまうのを防止することが可能になる。
【００２６】
第２シェル部材６０は、図１３〜図１６に示すように、金属材料を用いて板状に形成され、第２シェル部材６０の左右の先端側縁部を保持部材３０の基端側から第２シェル部材収容溝３６に挿入することで、保持部材３０の上側底面を覆うように取り付けられる。第２シェル部材６０の中央部には、３つの当接片６１が形成されており、図５に示すように、ケーブルアッセンブリ１の第２グランドバー１１に弾性変形した状態で当接し、第２シェル部材６０が第２グランドバー１１、同軸ケーブル２のシールド線５、および第１グランドバー１０を介して第１シェル部材４０と電気的に接続されるようになっている。これにより、半田等を用いずに簡便な構成で、シールド線５等を介して第１シェル部材４０と繋がる第２グランドバー１１を第２シェル部材６０と電気的に接続させることができ、組立工数を低減させることができることから、製造コストをより低減させることが可能になる。
【００２７】
第２シェル部材６０の基端部には、階段状に曲げられた押さえ部６２が形成され、図５に示すように、同軸ケーブル２の第２絶縁被覆６およびディスクリート用ケーブル７の絶縁被覆９に当接して、保持部材３０との間で各ケーブル２，７を挟むように構成される。これにより、各ケーブル２，７の基端部近傍がコネクタ２０に対してある程度固定保持されることから、各ケーブル２，７がコネクタ２０に対して曲げられたときに生じる芯線３，８のコンタクト２１からの剥離を防止することができる。
【００２８】
第２シェル部材６０の左右側部６３は、第２シェル部材６０の左右で垂直（下方）に折り曲げられて形成され、そこから第２シェル部材６０の基端側に延びて一体に繋がった折り返し部６４でそれぞれ折り返される。さらに、折り返し部６４から第２シェル部材６０の先端側へ延びるとともに一体に繋がってコの字形の操作部６７が形成され、操作部６７から第２シェル部材６０の先端側へ延びるとともに一体に繋がってロック部６５が形成される。
【００２９】
このように、ロック部６５および第２シェル部材６０を一体化することにより、部品点数を減らして組立工数を低減させることができることから、製造コストを低減させることが可能になる。また、ロック部６５および第２シェル部材６０を一体化することにより、第１および第２シェル部材４０，６０を介してロック部６５を接地させることが可能になることから、ノイズの発生を防止することが可能になる。
【００３０】
ところで、相手側コネクタ９０は、図１７および図２０に示すように、金属製の複数の（２１本の）相手側コンタクト９１と、相手側コンタクト９１を保持する絶縁材料製の相手側保持部材９２と、相手側保持部材９２を覆うように設けられたシールド部材９３とを備えて構成される。相手側コンタクト９１は、詳細な図示を省略するが、相手側保持部材９２に対し圧入固定され、同軸ケーブル用コネクタ２０におけるコンタクト２１の配列ピッチと同一のピッチで左右方向に並んで配設される。相手側保持部材９２は、同軸ケーブル用コネクタ２０の保持部材３０と嵌合可能に構成され、同軸ケーブル用コネクタ２０の保持部材３０が相手側保持部材９２と嵌合するときに、同軸ケーブル用コネクタ２０のコンタクト２１が相手側コンタクト９１と接触して電気的に接続されるようになっている。また、相手側コンタクト９１の基端側は外部に露出しており、半田付け等により基板等と電気的に接続されるようになっている。
【００３１】
シールド部材９３は、金属材料を用いて相手側保持部材９２を覆う箱形に形成され、相手側コネクタ９０が基板等に設置された状態で、接地されるようになっている。図２１〜図２３に示すように、シールド部材９３の内側側部には、同軸ケーブル用コネクタ２０のロック部６５が係合可能なロック係合部９５が形成される。なお、図２２に示すように、同軸ケーブル用コネクタ２０が相手側コネクタ９０と嵌合接続される際に、同軸ケーブル用コネクタ２０のロック部６５が最初にシールド部材９３のロック係合部９５の先端部と接触するようになっている。これにより、同軸ケーブル用コネクタ２０の金属部分を最初に相手側コネクタ９０の金属部分と接触させることができることから、相手側コネクタ９０と嵌合接続される際に静電気等（帯電している部材の電荷）を接地側へ逃がすことが可能になる。
【００３２】
以上のように構成される同軸ケーブル用コネクタ２０を組み立てるには、まず、インサートモールドによりコンタクト２１および第１シェル部材４０が取り付けられた保持部材３０に、グランド部材５０を取り付ける。このとき、図７および図８に示すように、グランド部材５０における５つのグランド脚部５４の中央部近傍を、２１本のうち５本のコンタクト２１の基端側（半田接合部２２）が露出する保持部材３０の第１および第２ガイド溝３２ａ，３２ｂにそれぞれ受容させ、各グランド脚部５４を半田付けにより当該５本のコンタクト２１（半田接合部２２）とそれぞれ電気的に接続させる。
【００３３】
次に、グランド部材５０が取り付けられた保持部材３０に、ケーブルアッセンブリ１を取り付ける。このとき、図８に示すように、第１および第２グランドバー１０，１１を保持部材３０のグランドバー収容部３４に収容させるとともに、各ケーブル２，７の芯線３，８を２１本のうち１６本の（グランド脚部５４と接続されるコンタクト２１を除いた）コンタクト２１の基端側（半田接合部２２）が露出する第１および第２ガイド溝３２ａ，３２ｂにそれぞれ受容させる。そして、各ケーブル２，７の芯線３，８を半田付けにより当該１６本のコンタクト２１（半田接合部２２）とそれぞれ電気的に接続させる。
【００３４】
これにより、図８における左から１〜４番目、および１８〜２１番目のコンタクト２１がディスクリート用ケーブル７と繋がり、図８における左から６〜７番目、９〜１０番目、１２〜１３番目、および１５〜１６番目のコンタクト２１が同軸ケーブル２と繋がることになる。また、図８における左から５番目、８番目、１１番目、１４番目、および１７番目のコンタクト２１がグランド部材５０と繋がり、これらが接地用のコンタクトになる。
【００３５】
次に、グランド部材５０およびケーブルアッセンブリ１が取り付けられた保持部材３０に、第２シェル部材６０を保持部材３０の基端側から（図１を参照）取り付ける。このとき、保持部材３０の第２シェル部材収容溝３６に第２シェル部材６０の左右の先端側縁部を挿入するとともに、保持部材３０のロック受容部３７に左右のロック部６５および操作部６７を挿入して、開口部３８からロック部６５の先端側をそれぞれ左右へ突出させる。このとき、第２シェル部材６０の３つの当接片６１が第２グランドバー１１に弾性変形した状態で当接する。
【００３６】
そして、図９に示すように、第１シェル部材４０の接続片４１に対し、グランド部材５０のグランド基部５１およびケーブルアッセンブリ１の第１グランドバー１０をそれぞれ半田付けにより接合させる。このようにして、同軸ケーブル用コネクタ２０が組み立てられ、図１７〜図１９の順で示すようにして、同軸ケーブル用コネクタ２０を相手側コネクタ９０に嵌合接続させることが可能になる。なおこのとき、同軸ケーブル用コネクタ２０の保持部材３０が相手側保持部材９２と嵌合するとともに、同軸ケーブル用コネクタ２０のコンタクト２１が相手側コンタクト９１と接触し、さらに、図２１〜図２３の順で示すように、同軸ケーブル用コネクタ２０のロック部６５がシールド部材９３のロック係合部９５と係合して、相手側コネクタ９０との嵌合がロック保持される。これに対し、左右の操作部６７をそれぞれ内側に押圧する操作を行うことで、ロック部６５がロック係合部９５から外れてロック保持が解除され、同軸ケーブル用コネクタ２０を相手側コネクタ９０から取り外すことが可能になる。
【００３７】
なお、上述の実施形態において、コンタクト２１の本数（ピン数）は、２１本に限らず、任意の（複数の）本数にすることが可能である。
【００３８】
また、上述の実施形態において、図８における左から５番目、８番目、１１番目、１４番目、および１７番目のコンタクト２１がグランド部材５０と繋がり、これらが接地用のコンタクトになるように構成されているが、これに限られるものではなく、グランド部材５０等の構成に支障がなければ、別の組み合わせでも構わない。
【００３９】
さらに、上述の実施形態において、同軸ケーブル用コネクタ２０にグランド部材５０が用いられているが、これに限られるものではなく、本実施形態と同様の構成であれば、一般のケーブル用のコネクタに対しても、本実施形態によるグランド部材５０を適用することが可能である。
【図面の簡単な説明】
【００４０】
【図１】同軸ケーブル用コネクタの平面図である。
【図２】同軸ケーブル用コネクタの底面図である。
【図３】同軸ケーブル用コネクタの側面図である。
【図４】同軸ケーブル用コネクタの背面図である。
【図５】同軸ケーブル用コネクタの側断面図である。
【図６】保持部材の斜視図である。
【図７】保持部材にグランド部材が取り付けられた状態を示す斜視図である。
【図８】保持部材にケーブルアッセンブリが取り付けられた状態を示す斜視図である。
【図９】第１シェル部材に形成される接続片の近傍を示す斜視図である。
【図１０】ケーブルアッセンブリの斜視図である。
【図１１】同軸ケーブルの構造を示す斜視図である。
【図１２】グランド部材の斜視図である。
【図１３】第２シェル部材の斜視図である。
【図１４】第２シェル部材の平面図である。
【図１５】第２シェル部材の正面図である。
【図１６】図１４中の矢印XVI−XVIに沿った断面図である。
【図１７】（ａ）は同軸ケーブル用コネクタが相手側コネクタから離れた状態を示す平面図であり、（ｂ）は同軸ケーブル用コネクタが相手側コネクタから離れた状態を示す側面図である。
【図１８】（ａ）は同軸ケーブル用コネクタが相手側コネクタと嵌合接続される途中の状態を示す平面図であり、（ｂ）は同軸ケーブル用コネクタが相手側コネクタと嵌合接続される途中の状態を示す側面図である。
【図１９】（ａ）は同軸ケーブル用コネクタが相手側コネクタと嵌合接続された状態を示す平面図であり、（ｂ）は同軸ケーブル用コネクタが相手側コネクタと嵌合接続された状態を示す側面図である。
【図２０】同軸ケーブル用コネクタが嵌合接続された相手側コネクタの背面図である。
【図２１】同軸ケーブル用コネクタが相手側コネクタから離れた状態を示す平面図（図２０中の矢印XXI−XXIに沿った部分断面図）である。
【図２２】同軸ケーブル用コネクタが相手側コネクタと嵌合接続される途中の状態を示す平面図（図２０中の矢印XXI−XXIに沿った部分断面図）である。
【図２３】同軸ケーブル用コネクタが相手側コネクタと嵌合接続された状態を示す平面図（図２０中の矢印XXI−XXIに沿った部分断面図）である。
【図２４】従来のケーブルアッセンブリを示す斜視図である。
【符号の説明】
【００４１】
１  ケーブルアッセンブリ
２  同軸ケーブル
３  芯線
４  内周側絶縁被覆
５  シールド線
６  外周側絶縁被覆
１０  第１グランドバー
１１  第２グランドバー
２０  同軸ケーブル用コネクタ
２１  コンタクト
３０  保持部材
４０  第１シェル部材
５０  グランド部材
５１  グランド基部
５４  グランド脚部
５７  切り欠き部
５９  グランド先端部
６０  第２シェル部材
６１  当接片
６２  押さえ部
６３  側部
６４  折り返し部
６５  ロック部
６７  操作部
９０  相手側コネクタ
９１  相手側コンタクト
９２  相手側保持部材
９３  シールド部材
【図１】
2008146953.tif 000003
【図２】
2008146953.tif 000004
【図３】
2008146953.tif 000005
【図４】
2008146953.tif 000006
【図５】
2008146953.tif 000007
【図６】
2008146953.tif 000008
【図７】
2008146953.tif 000009
【図８】
2008146953.tif 000010
【図９】
2008146953.tif 000011
【図１０】
2008146953.tif 000012
【図１１】
2008146953.tif 000013
【図１２】
2008146953.tif 000014
【図１３】
2008146953.tif 000015
【図１４】
2008146953.tif 000016
【図１５】
2008146953.tif 000017
【図１６】
2008146953.tif 000018
【図１７】
2008146953.tif 000019
【図１８】
2008146953.tif 000020
【図１９】
2008146953.tif 000021
【図２０】
2008146953.tif 000022
【図２１】
2008146953.tif 000023
【図２２】
2008146953.tif 000024
【図２３】
2008146953.tif 000025
【図２４】
2008146953.tif 000026